(57)【特許請求の範囲】
【請求項１】
光学像を投影表示する投影手段と、
再生像を表示する表示モニタと、
前記表示モニタによる表示と前記投影手段による投影表示とを同時に行う指示に応じて、前記投影表示と前記表示とで表示内容を異ならせるように前記投影手段および前記表示モニタをそれぞれ制御する表示制御手段とを備え、
前記表示制御手段は、電源回路で検出された電池残量を示すマークを前記表示モニタに表示し、前記電池残量が所定量以下になった場合には、前記表示モニタおよび前記投影手段に前記電池残量を示す前記マークを表示することを特徴とする表示モニタ付き投影装置。  
【請求項２】
請求項１に記載の表示モニタ付き投影装置において、
前記表示制御手段は、前記表示モニタによる表示輝度を低下させることを特徴とする表示モニタ付き投影装置。
【請求項３】
請求項１に記載の表示モニタ付き投影装置において、
前記表示制御手段は、前記投影手段による投影表示を強調させることを特徴とする表示モニタ付き投影装置。
【請求項４】
請求項３に記載の表示モニタ付き投影装置において、
前記表示制御手段は、周囲が明るいほど前記強調を強めることを特徴とする表示モニタ付き投影装置。
【請求項５】
請求項１〜４のいずれか一項に記載の表示モニタ付き投影装置において、
前記表示制御手段は、前記表示モニタにサムネイル画像を表示させるとともに前記投影手段に本画像を投影させることを特徴とする表示モニタ付き投影装置。
【請求項６】
請求項１〜４のいずれか一項に記載の表示モニタ付き投影装置において、
前記表示制御手段は、前記表示モニタにメニューを表示させるとともに前記投影手段に本画像を投影させることを特徴とする表示モニタ付き投影装置。
【請求項７】
請求項１〜４のいずれか一項に記載の表示モニタ付き投影装置において、
前記表示制御手段は、前記表示モニタと前記投影手段とで異なる範囲の画像を表示および投影させることを特徴とする表示モニタ付き投影装置。
【請求項８】
請求項７に記載の表示モニタ付き投影装置において、
前記表示制御手段は、前記表示モニタに表示されている被写体の顔を含む画像を前記投影手段に投影させることを特徴とする表示モニタ付き投影装置。
【請求項９】
請求項５に記載の表示モニタ付き投影装置において、
前記表示制御手段は、前記表示モニタの表示内容に前記サムネイル画像以外の付加情報を含めることを特徴とする表示モニタ付き投影装置。
【請求項１０】
請求項１〜４のいずれか一項に記載の表示モニタ付き投影装置において、
前記表示制御手段は、前記投影手段の投影内容に投影範囲を示す情報を含めることを特徴とする表示モニタ付き投影装置。
【請求項１１】
請求項５〜１０のいずれか一項に記載の表示モニタ付き投影装置において、
前記表示制御手段は、前記投影手段の投影内容に投影調節用画像を含めることを特徴とする表示モニタ付き投影装置。
【請求項１２】
請求項１〜４のいずれか一項に記載の表示モニタ付き投影装置において、
前記表示制御手段は、前記表示モニタにメニューを表示させるとともに前記投影手段に投影調節用画像を投影させることを特徴とする表示モニタ付き投影装置。
【請求項１３】
請求項１〜１２のいずれか一項に記載の表示モニタ付き投影装置において、
前記表示制御手段は、前記投影手段による投影内容の変更時に投影輝度を一時低下させることを特徴とする表示モニタ付き投影装置。
【請求項１４】
請求項１〜１３のいずれか一項に記載の表示モニタ付き投影装置において、
前記投影手段が投影表示する場合に操作部材を照明する照明手段をさらに備えることを特徴とする表示モニタ付き投影装置。
【発明の詳細な説明】
【技術分野】
【０００１】
本発明は、情報を投影するプロジェクタと情報を表示する表示器とを備える電子機器に関する。
【背景技術】
【０００２】
携帯電話機などの小型機器に投影機能を備えた電子機器が知られている（特許文献１参照）。特許文献１に記載のプロジェクタ付き携帯電話機は、通話者が通話しながら通話者自身の手のひらに情報を投影したり、通話しながら壁面に情報を投影したりする。
【０００３】
【特許文献１】特開２０００−２３６３７５号公報
【発明の開示】
【発明が解決しようとする課題】
【０００４】
上記プロジェクタ付き携帯電話機には液晶表示器も備えられている。特許文献１には、プロジェクタおよび液晶表示器による情報表示（投影）の使い分けについて何も開示されていない。
【課題を解決するための手段】
【０００５】
本発明による表示モニタ付き投影装置は、光学像を投影表示する投影手段と、再生像を表示する表示モニタと、表示モニタによる表示と投影手段による投影表示とを同時に行う指示に応じて、投影表示と表示とで表示内容を異ならせるように投影手段および表示モニタをそれぞれ制御する表示制御手段とを備え、表示制御手段は、電源回路で検出された電池残量を示すマークを表示モニタに表示し、電池残量が所定量以下になった場合には、表示モニタおよび投影手段に電池残量を示すマークを表示することを特徴とする。
【発明の効果】
【０００６】
本発明によれば、モニタ表示と投影表示とを同時に行う場合に両者の表示態様を適切に使い分けることができる。
【発明を実施するための最良の形態】
【０００７】
以下、図面を参照して本発明を実施するための最良の形態について説明する。
（第一の実施形態）
図１は、本発明の第一の実施形態によるプロジェクタ付き電子カメラを前方から見た斜視図である。図１において、プロジェクタ付き電子カメラ１０の正面には、撮影レンズ１１と、照明光窓１２と、プロジェクタ投射窓１３とが設けられている。プロジェクタ付き電子カメラ１０の上面には、レリーズボタン１４と、ズームスイッチ１６と、モード切替ダイヤル１５と、メインスイッチ２２とが設けられている。
【０００８】
図２は、図１のプロジェクタ付き電子カメラを後方から見た斜視図である。図２において、プロジェクタ付き電子カメラ１０の背面には、液晶表示器１７と、電子ビューファインダー１８と、操作部材１９と、スピーカ孔２０とが設けられている。
【０００９】
プロジェクタ付き電子カメラ１０には、後述するプロジェクタ装置（プロジェクタ部）が搭載されており、たとえば、机上に載置されたプロジェクタ付き電子カメラ１０の正面側に配設されるスクリーンなどに向けて、画像などの情報をプロジェクタ投射窓１３から投影する。プロジェクタ付き電子カメラ１０は、スピーカ孔２０の裏側にスピーカ２１を内蔵しており、音声などの情報を電子カメラ１０の後方へ向けて再生する。
【００１０】
モード切替えダイヤル１５は、撮影モードや投影モードなどのプロジェクタ付き電子カメラ１０の動作モードを切替えるためのモード切替え操作部材である。撮影モードは、被写体像を撮影し、撮影した画像データをメモリカードなどで構成される記録媒体に撮影画像ファイルとして保存する動作モードである。静止画撮影の場合は静止画像ファイルが生成され、動画撮影の場合には動画像ファイルが生成される。撮影動作モードにおいて、プロジェクタ付き電子カメラ１０は、主としてハンドホールドで用いられる。撮影開始指示は、レリーズボタン１４の押下操作に応じて出力される操作信号が対応する。プロジェクタ付き電子カメラ１０には、後述する照明装置が搭載されており、キセノン管などの発光体から発せられた光が照明光窓１２からプロジェクタ付き電子カメラ１０の正面に向けて射出される。撮影モードでは、スピーカ孔２０の裏側にスピーカ２１とともに内蔵されるマイクにより集音した音声のデータを、記録媒体に保存することも可能に構成されている。
【００１１】
投影モードは、撮影済みの画像データを記録媒体（たとえば、後述するメモリカード２００や不図示の内部メモリ）から読出すなどして、画像データによる再生画像をプロジェクタ部によってプロジェクタ投射窓１３から投影する動作モードである。上述したスピーカ２１からの音声再生は、投影モードにおいて作動する。なお、投影モードでは、記録媒体以外から読出された画像データや、プロジェクタ付き電子カメラ１０の外部から供給される画像データによる再生画像を投影することも可能に構成されている。
【００１２】
プロジェクタ付き電子カメラ１０には、プロジェクタ投射窓１３から投影された光が撮影レンズ１１のレンズ鏡筒Ｐでけられることがないように、レンズ鏡筒Ｐをカメラ筐体内に沈胴させる沈胴機構が設けられている。
【００１３】
図３は、以上説明したプロジェクタ付き電子カメラ１０の構成を説明するブロック図である。図３において、プロジェクタ付き電子カメラ１０はプロジェクタ部１２０と、撮像部２２０と、ＣＰＵ１０１と、メモリ１０２と、操作部材１０３と、液晶表示器１０４と、スピーカ１０５と、マイク１０６と、外部インターフェイス(I/F)１０７と、照明装置１０８とを有する。不図示のカードスロットには、メモリカード２００と、無線通信ユニット２１０とが実装されている。両カード（ユニット）は着脱可能である。
【００１４】
ＣＰＵ１０１は、制御プログラムに基づいて、プロジェクタ付き電子カメラ１０を構成する各部から入力される信号を用いて所定の演算を行うなどして、プロジェクタ付き電子カメラ１０の各部に対する制御信号を送出することにより、撮影動作および投影動作の制御を行う。なお、制御プログラムはＣＰＵ１０１内の不図示の不揮発性メモリに格納されている。
【００１５】
メモリ１０２はＣＰＵ１０１の作業用メモリとして使用される。操作部材１０３は、図１におけるメインスイッチ２２、レリーズボタン１４、ズームスイッチ１６、モード切替えダイヤル１５、および図２における操作部材１９に対応し、レリーズボタン１４の押下操作に連動してオンする不図示の半押しスイッチや全押しスイッチを含む。半押しスイッチは、レリーズボタン１４の押下げ量が半押し操作量に達するとオンし、全押しスイッチは、レリーズボタン１４の押下げ量が半押し操作量より大きい全押し操作量に達するとオンする。操作部材１０３は、操作内容に対応する操作信号をＣＰＵ１０１へ送出する。
【００１６】
透過照明装置１０３１は、発光ダイオード（ＬＥＤ）などを発光体として有しており、ＣＰＵ１０１からの指令に応じて点灯／消灯が制御される。操作部材１０３のうち、少なくとも投影モード時に操作される操作部材（本実施形態では、モード切替えダイヤル１５、レリーズボタン１４、ズームスイッチ１６、および十字スイッチ１９Ａ）のキートップの一部もしくは全体が透光部材によって構成されている。これにより、透過照明装置１０３１が点灯すると、当該操作部材が透過照明される。
【００１７】
メモリカード２００はフラッシュメモリなどの不揮発性メモリによって構成され、ＣＰＵ１０１の指令により撮像部２２０で撮影された画像データなどのデータの書き込み、保存および読み出しが可能である。無線通信ユニット２１０は外部機器（不図示）から送信されるデータを受信して復調し、復調後の画像データおよび音声データをＣＰＵ１０１へ送出する。
【００１８】
照明装置１０８は、ＣＰＵ１０１からの発光指示に応じて発光体を発光させ、被写体を照明する照明光を照明光窓１２からプロジェクタ付き電子カメラ１０の正面に向けて射出する。
【００１９】
液晶表示器１０４（図２において１７）は、ＣＰＵ１０１の指令により画像やテキストなどの情報を表示する。テキスト情報は、プロジェクタ付き電子カメラ１０の動作状態、操作メニューなどである。スピーカ１０５（図２において２１）は、ＣＰＵ１０１から出力される音声データによる音声を再生する。
【００２０】
マイク１０６は、集音した音声を電気信号に変換してＣＰＵ１０１へ送出する。音声信号のデータは、撮影モード時にメモリカード２００に記録される。
【００２１】
外部インターフェイス(I/F)１０７は、ビデオカメラなどの外部機器から送信されるビデオ信号による再生画像を液晶表示器１０４に表示させたりプロジェクタ部１２０に投影させたりするために、ビデオ信号を画像データに変換し、変換後の画像データをＣＰＵ１０１へ送出する。また、外部インターフェイス(I/F)１０７は、外部機器から送信される音声信号による音声をスピーカ１０５で再生させるための音声データに変換し、変換後の音声データをＣＰＵ１０１へ送出する。
【００２２】
（撮像部）
撮像部２２０は、撮影レンズ２２１（図１において１１）と、イメージセンサ２２２と、レンズ駆動回路２２３と、撮影制御回路２２４と、鏡筒沈胴機構２２５とを含む。イメージセンサ２２２としては、ＣＣＤやＣＭＯＳ撮像素子などが用いられる。撮影制御回路２２４は、ＣＰＵ１０１からの指令によりイメージセンサ２２２およびレンズ駆動回路２２３を駆動制御するとともに、イメージセンサ２２２から出力される撮像信号（蓄積電荷信号）に対して所定の画像処理を行う。画像処理は、ホワイトバランス処理やガンマ処理などである。
【００２３】
撮影レンズ２２１は、イメージセンサ２２２の撮像面上に被写体像を結像させる。撮影制御回路２２４は、撮影開始指示に応じてイメージセンサ２２２に撮像を開始させ、撮像終了後にイメージセンサ２２２から蓄積電荷信号を読出し、上記画像処理を施した上で画像データとしてＣＰＵ１０１へ送出する。
【００２４】
レンズ駆動回路２２３は、撮影制御回路２２４から出力されるフォーカス調節信号に基づいて、撮影レンズ２２１を構成するフォーカスレンズ（不図示）を光軸方向に進退駆動する。また、レンズ駆動回路２２３は、撮影制御回路２２４から出力されるズーム調節信号に基づいて、撮影レンズ２２１を構成するズームレンズ（不図示）を光軸方向（テレ側もしくはワイド側）へ進退駆動する。フォーカス調節量およびズーム調節量は、ＣＰＵ１０１から撮影制御回路２２４へ指示される。
【００２５】
（カメラのフォーカス調節）
撮像部２２０は、撮影レンズ２２１を構成するフォーカスレンズを光軸方向にシフトすることにより、撮影レンズ２２１のフォーカス調節を行う。オートフォーカス調節を行う場合のＣＰＵ１０１は、イメージセンサ２２２で撮像された画像信号のうち、フォーカス検出エリア（たとえば撮影画面中央）に対応する画像信号についての高周波数成分の積算値（いわゆる焦点評価値）を最大にするように、フォーカス調節信号を撮影制御回路２２４へ送る。焦点評価値を最大にするフォーカスレンズの位置は、イメージセンサ２２２によって撮像される被写体像のエッジのボケをなくし、画像のコントラストを最大にする合焦位置である。
【００２６】
（カメラのズーム調節）
撮像部２２０は、撮影レンズ１２１を構成するズームレンズを光軸方向にシフトすることにより、撮影レンズ２２１の光学ズーム調節を行う。ＣＰＵ１０１は、ズームスイッチ１６からの操作信号に応じてズーム調節信号を撮影制御回路２２４へ送る。ＣＰＵ１０１は、ズームスイッチ１６から右回し操作信号が入力された場合にズームアップするようにズーム調節信号を送り、ズームスイッチ１６から左回し操作信号が入力された場合にはズームダウンするようにズーム調節信号を送る。ズームスイッチ１６は、異なる２つの操作信号を択一的に出力するように構成される。
【００２７】
また、撮影制御回路２２４は、ＣＰＵ１０１からの指令に応じて鏡筒沈胴機構２２５へ指令を送り、撮影レンズ２２１の鏡筒Ｐ（図１）をプロジェクタ付き電子カメラ１０の筐体内に沈胴させたり、筐体内に沈胴されている鏡筒Ｐを撮影時の状態（図１）まで繰出させたりする。
【００２８】
（プロジェクタ部）
プロジェクタ部１２０は、投影レンズ１２１と、液晶パネル１２２と、ＬＥＤ光源１２３と、投射制御回路１２４と、レンズ駆動回路１２５とを含む。投射制御回路１２４は、ＣＰＵ１０１から出力される投影指令に応じてＬＥＤ光源１２３に駆動電流を供給する。ＬＥＤ光源１２３は、供給された電流に応じた明るさで液晶パネル１２２を照明する。
【００２９】
投射制御回路１２４はさらに、ＣＰＵ１０１から送出される画像データに応じて液晶パネル駆動信号を生成し、生成した駆動信号で液晶パネル１２２を駆動する。具体的には、液晶層に対して画像信号に応じた電圧を画素ごとに印加する。電圧が印加された液晶層は液晶分子の配列が変わり、当該液晶層の光の透過率が変化する。このように、画像信号に応じてＬＥＤ光源１２３からの光を変調することにより、液晶パネル１２２が光像を生成する。
【００３０】
投影レンズ１２１は、液晶パネル１２２から射出される光像をスクリーンなどへ向けて投影する。レンズ駆動回路１２５は、投射制御回路１２４から出力されるオフセット調節信号に基づいて、投影レンズ１２１を光軸に対して直交する方向へ進退駆動する。また、レンズ駆動回路１２５は、投射制御回路１２４から出力されるフォーカス調節信号に基づいて、投影レンズ１２１を構成するフォーカスレンズ（不図示）を光軸方向へ進退駆動する。レンズ駆動回路１２５はさらに、投射制御回路１２４から出力されるズーム調節信号に基づいて、投影レンズ１２１を構成するズームレンズ（不図示）を光軸方向へ進退駆動する。オフセット調節量、フォーカス調節量およびズーム調節量は、ＣＰＵ１０１から投射制御回路１２４へ指示される。
【００３１】
（投射像のオフセット）
投影レンズ１２１が光軸と直交する向きにシフトされることにより、プロジェクタ部１２０から射出される光束の射出方向が変化し、投射像がオフセットされる。投射像のオフセットは、投影レンズ１２１をシフトさせて行う他にも、液晶パネル１２２、ＬＥＤ光源１２３を光軸に対して垂直方向にシフトさせて行う構成としてもよい。すなわち、投影レンズ１２１と液晶パネル１２２の相対的位置関係を光軸に垂直な方向に変化させることで、投射像のオフセットを実現できる。
【００３２】
（投射像のキーストン補正）
投影レンズ１２１、液晶パネル１２２、ＬＥＤ光源１２３の一部を光軸に対して垂直方向にシフトさせる際には、そのシフト量に応じて投影するデータに対するキーストン補正を行う。投射像に上記オフセットを与えるだけでは投射像が台形状に変化するので、ＣＰＵ１０１は、投射像を台形状から長方形状に補正するために画像処理による電気的なキーストン補正を施す。ＣＰＵ１０１内のメモリには、あらかじめ投射像を方形状に補正するための初期補正値が記憶されている。ＣＰＵ１０１は、オフセット調節量に対応する初期補正値を読み出し、読み出した初期補正値を元に投影する像のデータに対するキーストン補正処理をメモリ１０２上で施し、キーストン補正処理後の画像データを投射制御回路１２４へ送出する。
【００３３】
（投射像のフォーカス調節）
投影レンズ１２１を構成するフォーカスレンズを光軸方向にシフトすることにより、プロジェクタ部１２０は投射像のフォーカス調節を行う。マニュアルフォーカス調節を行う場合のＣＰＵ１０１は、操作部材１０３からの操作信号に応じてフォーカス調節信号を投射制御回路１２４へ送る。
【００３４】
（投射像のズーム調節）
投影レンズ１２１を構成するズームレンズを光軸方向にシフトすることにより、プロジェクタ部１２０は投射像のズーム調節を行う。ＣＰＵ１０１は、操作部材１０３からの操作信号に応じてズーム調節信号を投射制御回路１２４へ送る。
【００３５】
（投影ソース：source）
プロジェクタ部１２０は、ＣＰＵ１０１の指令により下記ソース１．〜ソース４．のいずれかによるコンテンツを投影および再生する。ＣＰＵ１０１は、操作部材１０３からソース切替え操作信号が入力されるごとに、ソース１．〜ソース４．の投影画像をソース１．→２．→３．→４．→１．…の順にサイクリックに切替えるように、各画像に対応する画像データをプロジェクタ部１２０へ送出する。ただし、プロジェクタ付き電子カメラ１０にメモリカード２００が装着されていない場合にはソース１．がスキップされ、無線通信ユニット２１０が装着されていない場合にはソース２．がスキップされる。また、外部インターフェイス(I/F)１０７に外部機器が接続されていない場合にはソース４．がスキップされる。
【００３６】
ソース１．メモリカード２００から読出したデータによる再生画像
ソース２．無線通信ユニット２１０で受信されたデータによる再生画像
ソース３．内部メモリ（ＣＰＵ１０１内の不揮発性メモリなど）に記録されている画像データによる再生画像
ソース４．外部インターフェイス(I/F)１０７から入力されたデータによる再生画像
【００３７】
ＣＰＵ１０１は、上記ソース１．またはソース３．に対応する画像を投影する場合、記録日時が最も新しい（記録されている画像データの中で最後に撮影されたもの）画像データをメモリカード２００（もしくは内部メモリ）から順に読出し、読出した画像データをプロジェクタ部１２０へ送出する。
【００３８】
本発明は、上記プロジェクタ付き電子カメラ１０が投影モードに切替えられた場合の動作に特徴を有するので、投影モード起動時にＣＰＵ１０１によって行われる制御を中心に説明する。
【００３９】
図４は、プロジェクタ付き電子カメラ１０のＣＰＵ１０１が投影モードにおいて実行するプログラムによる処理の流れを説明するフローチャートである。図４による処理は、投影モードへの切替えを指示する操作信号がモード切替えダイヤル１５からＣＰＵ１０１へ入力されると起動する。投影モードへの切替え操作信号は、液晶表示器１０４（液晶モニタ）による再生表示とプロジェクタ部１２０による投影表示とを同時に行わせる指示に対応する。
【００４０】
図４のステップＳ１において、ＣＰＵ１０１は、撮影制御回路２２４へ撮像部オフを指示するとともに、液晶表示器１０４（液晶モニタ）へ表示輝度を低下するように指示してステップＳ２へ進む。これにより、撮像部２２０における撮像動作が停止し、液晶表示器１０４の表示画面が暗くなる。表示輝度の低下は、たとえば、液晶モニタのバックライト（不図示）の点灯輝度を下げることによって行われる。
【００４１】
ステップＳ２において、ＣＰＵ１０１は、レンズ鏡筒Ｐが沈胴状態か否かを判定する。ＣＰＵ１０１は、撮影制御回路２２４から沈胴状態を示す信号を受けるとステップＳ２を肯定判定してステップＳ４へ進み、非沈胴状態を示す信号を受けた場合にはステップＳ２を否定判定し、ステップＳ３へ進む。
【００４２】
ステップＳ３において、ＣＰＵ１０１は、撮影制御回路２２４へ沈胴指令（指示）を送出してステップＳ４へ進む。ステップＳ４において、ＣＰＵ１０１は、投射制御回路１２４へ投影開始を指示するとともに、操作部材１０３のうち、プロジェクタ付き電子カメラ１０の上面に配設されているレリーズボタン１４およびズームスイッチ１６の機能変更を行ってステップＳ５へ進む。投影開始指示により、プロジェクタ部１２０においてＬＥＤ光源１２３が点灯される。
【００４３】
上記ステップＳ４以降、後述するステップＳ１４において機能変更を解除するまで、レリーズボタン１４およびズームスイッチ１６のそれぞれは、撮影モード時と異なる機能の操作部材として扱われる。レリーズボタン１４の場合、撮影指示のための操作部材ではなく、投影ソースを切替えるための操作部材として扱われる。ズームスイッチ１６の場合は、撮影レンズ２２１のズーム調節ではなく、投影レンズ１２１（投射像）のズーム調節のための操作部材として扱われる。
【００４４】
ステップＳ５において、ＣＰＵ１０１は、液晶表示器１０４（液晶モニタ）にキーメニュー表示を指示するとともに、透過照明装置１０３１に透過照明オン（点灯）を指示してステップＳ６へ進む。キーメニュー表示は、上記機能変更した操作部材を説明する表示であり、たとえば、ズームスイッチ１６を表す図形と「投影レンズのズーム調節」というテキストとを関連づけて表示し、レリーズボタン１４を表す図形と「投影ソース切替え」というテキストとを関連づけて表示する。
【００４５】
ステップＳ６において、ＣＰＵ１０１は、記録日時が最も新しい画像データ（画像信号のうち本画像）をメモリカード２００（もしくは内部メモリ）から読出す（デフォルト設定ではメモリカード２００から読出す）とともに、記録日時が新しいファイルから順に所定数（たとえば、４ファイル）分のサムネイル画像データ（画像信号のうちサムネイル画像）を読出してステップＳ７へ進む。本画像データを読出すファイルからは、本画像およびサムネイル画像の双方が読出される。
【００４６】
ステップＳ７において、ＣＰＵ１０１は、液晶表示器１０４（液晶モニタ）へサムネイル画像の表示用データを送出してサムネイル表示を指示するとともに、プロジェクタ部１２０へ本画像の投影表示用データを送出して再生画像の投影を指示し、ステップＳ８へ進む。これにより、液晶表示器１０４に４コマのサムネイル画像がそれぞれ表示され、プロジェクタ部１２０からは本画像データによる再生画像が投影される。なお、ＣＰＵ１０１は、プロジェクタ部１２０による投影画像を派手目にするように、コントラスト、彩度および輪郭をそれぞれ強調した投影表示用データをプロジェクタ部１２０へ送る。
【００４７】
ＣＰＵ１０１はさらに、液晶表示器１０４（液晶モニタ）に表示中のサムネイル画像のうち、プロジェクタ部１２０から投影されている投影表示画像に対応するサムネイル画像上にカーソル表示させる。ＣＰＵ１０１は、投影中の画像のデータファイルに対応付けられて音声データが記憶されている場合には、当該音声データによる音声をスピーカ１０５から再生する。
【００４８】
ステップＳ８において、ＣＰＵ１０１は、ユーザーによる操作が行われたか否かを判定する。ＣＰＵ１０１は、操作部材１０３（図３）から操作信号が入力されるとステップＳ８を肯定判定してステップＳ９へ進み、操作部材１０３から操作信号が入力されない場合にはステップＳ８を否定判定し、当該判定処理を繰り返す。
【００４９】
ステップＳ９において、ＣＰＵ１０１は、ユーザーによる操作がモード切替え操作か否かを判定する。ＣＰＵ１０１は、入力された操作信号がモード切替えダイヤル１５からの撮影モードへ切替える操作信号である場合、ステップＳ９を肯定判定してステップＳ１４へ進む。また、ＣＰＵ１０１は、入力された操作信号がレリーズボタン１４の押下操作に連動する半押し操作信号（この場合はソース切替え信号）である場合、ステップＳ９を否定判定してステップＳ１０へ進む。さらにまた、ＣＰＵ１０１は、液晶表示器１０４（液晶モニタ）にサムネイル表示中であって、入力された操作信号が十字スイッチ１９Ａ（図２）からの操作信号（この場合はサムネイル選択信号）である場合には、ステップＳ９を否定判定してステップＳ１３へ進む。ステップＳ１０へ進む場合はソース切替え指示されたとみなし、ステップＳ１３へ進む場合はサムネイル選択されたとみなす。
【００５０】
ステップＳ１０において、ＣＰＵ１０１は、半押し操作信号が入力されるごとに、プロジェクタ部１２０へ送出する投影用の画像データを、上記ソース１．→２．→３．→４．→１．…の順に１つ切替えてステップＳ１１へ進む。
【００５１】
ステップＳ１１において、ＣＰＵ１０１は、プロジェクタ部１２０へ送出する画像データが上記ソース１．またはソース３．に対応する画像（すなわち、記録画像）か否かを判定する。ＣＰＵ１０１は、プロジェクタ部１２０へ送出する画像データが記録画像である場合にステップＳ１１を肯定判定してステップＳ６へ戻り、メモリカード２００（もしくは内部メモリ）から画像データを読出す。一方、ＣＰＵ１０１は、プロジェクタ部１２０へ送出する画像データが上記ソース２．またはソース４．に対応する画像（すなわち、非記録画像）である場合には、ステップＳ１１を否定判定してステップＳ１２へ進む。
【００５２】
サムネイル選択された場合に進むステップＳ１３において、ＣＰＵ１０１は、サムネイル選択信号によって示されるサムネイル画像上にカーソル移動するように液晶表示器１０４（液晶モニタ）へ指示してステップＳ６へ戻る。たとえば、十字スイッチ１９Ａから右向きを示す操作信号が入力された場合、液晶表示器１０４（液晶モニタ）にカーソル表示されているサムネイル画像の右側に表示中のサムネイル画像にカーソルを移動させる。
【００５３】
ステップＳ１３を経由してステップＳ６へ戻ったＣＰＵ１０１は、カーソル移動後のサムネイル画像に対応する本画像データをメモリカード２００（もしくは内部メモリ）から読出す（デフォルト設定ではメモリカード２００から読出す）とともに、当該ファイルから記録日時順に所定数（たとえば、４ファイル）分のサムネイル画像データを読出してステップＳ７へ進む。
【００５４】
上記ステップＳ１１を否定判定して進むステップＳ１２において、ＣＰＵ１０１は、液晶表示器１０４（液晶モニタ）にキーメニュー表示を指示してステップＳ８へ戻る。このように、投影ソースにサムネイル画像データが含まれていない場合は、サムネイル表示の代わりにキーメニュー表示を行う。キーメニュー表示はステップＳ５の場合と同様である。
【００５５】
モード切替えが指示された場合に進むステップＳ１４において、ＣＰＵ１０１は、投射制御回路１２４へ投影終了を指示するとともに、レリーズボタン１４およびズームスイッチ１６の機能変更を解除してステップＳ１５へ進む。これにより、プロジェクタ部１２０においてＬＥＤ光源１２３が消灯される。
【００５６】
ステップＳ１５において、ＣＰＵ１０１は、液晶表示器１０４（液晶モニタ）へ指令を送り、キーメニュー表示（サムネイル画像を表示している場合は当該サムネイル表示）を停止（終了）させるとともに、ステップＳ２で低下させた液晶表示器１０４の表示輝度を元に戻させる。ＣＰＵ１０１はさらに、透過照明装置１０３１に透過照明オフ（消灯）を指示して図４による処理を終了する。
【００５７】
なお、上述したステップＳ４からステップＳ１４までは、常に、投影レンズ１２１のズーム調節が可能に構成されている。ＣＰＵ１０１は、ズームスイッチ１６からの操作信号が入力された場合、以下の割り込み処理を行う。ＣＰＵ１０１は、ズームスイッチ１６から右回し操作信号が入力されると、投影像をズームアップするように投射制御回路１２４へズーム調節信号を送り、ズームスイッチ１６から左回し操作信号が入力されると、投影像をズームダウンするように投射制御回路１２４へズーム調節信号を送る。
【００５８】
（エフェクター）  
投射制御回路１２４は、プロジェクタ部１２０によって投影される静止画像が他の画像に切替わる際に、ＬＥＤ光源１２３の点灯輝度を一旦低下させる。たとえば、ＬＥＤ光源１２３による通常の発光量の状態から１秒間かけて発光量を徐々に下げ、発光量を低下させた状態から１秒間かけて発光量を徐々に上昇させて点灯輝度を元に戻すようにエフェクト処理を行う。投射制御回路１２４はさらに、エフェクトによってＬＥＤ光源１２３の点灯輝度を低下させている間に、ＣＰＵ１０１から新たに送出される画像データに応じた光像を液晶パネル１２２に生成させる。
【００５９】
上記エフェクト処理は、上記投影ソースの切替え時と、投影ソースが上記ソース１．またはソース３．のような記録画像である場合において、コマ送りやコマ戻しなどによる投影画像切替え時に行われる。投影画像の切替えは、ＣＰＵ１０１が自動的に投影画像の切替えを指示するスライドショー投影時の切替えと、ＣＰＵ１０１が操作部材１０３からの操作信号に応じて行う投影画像の切替えとを含む。なお、所定数のコマを一度に進める（あるいは戻す）場合、１回のエフェクト処理の間に、現在液晶パネル１２２に形成されている光像から所定コマ送り後の光像へ変更するのが好ましい（コマ送り途中の光像を液晶パネル１２２に形成しない）。
【００６０】
以上説明した第一の実施形態によれば、次の作用効果が得られる。
（１）プロジェクタ付き電子カメラ１０は、投影モードに切替えられると、メモリカード２００に記録されている本画像データによる再生画像をプロジェクタ部１２０から自動的に投影する（ステップＳ４〜Ｓ７）ようにしたので、投影モードに切替え後、投影ランプのオン操作や投影画像の選択操作が不要である。この結果、プロジェクタ付き電子カメラ１０の投影モードにおける使い勝手がよくなる。
【００６１】
（２）プロジェクタ付き電子カメラ１０は、投影モードに切替えられると、レリーズボタン１４を投影ソース切替え用の操作部材として扱うように機能変更し、ズームスイッチ１６を投射像のズーム調節用の操作部材として扱うように機能変更した（ステップＳ４）。これにより、投影に関する新たな操作部材を追加しなくてもよい。
【００６２】
（３）上記（２）で機能変更した操作部材の説明を液晶表示器１０４へキーメニュー表示するようにしたので、使用者にとって使いやすい。
【００６３】
（４）プロジェクタ付き電子カメラ１０は、投影モードに切替えられると、液晶表示器１０４の輝度を低下させたので（ステップＳ１）、投影時の暗い室内で適切な表示輝度にするとともに、消費電力を低減できる。また、撮影モードに復帰する場合は低下させた表示輝度を自動的に元に戻すので（ステップＳ１５）、使用者にとって使いやすい。
【００６４】
（５）投影モードにおいて操作されるモード切替えダイヤル１５、レリーズボタン１４、ズームスイッチ１６、および十字スイッチ１９Ａのキートップの一部もしくは全体を透光部材で構成し、投影モード時に透過照明する（ステップＳ５）ようにしたので、投影時の暗い室内で操作部材が視認しやすくなる上に、投影モード時に必要な操作部材を使用者に報知できる。
【００６５】
（６）プロジェクタ付き電子カメラ１０は、投影モード時に投影する画像を派手目にするように、コントラスト、彩度および輪郭をそれぞれ強調したので、白地のスクリーンで投影像のコントラストが低下する場合にも高品位の投影像が得られる。強調処理の度合いは、たとえば、不図示の測光センサやイメージセンサ２２２の出力信号によって示される明るさ（輝度情報）に応じて変化させるようにしてもよい。この場合、輝度情報が明るいほど強く強調し、輝度情報が暗いほど強調処理を弱くする。
【００６６】
（７）プロジェクタ付き電子カメラ１０は、投影ソースにサムネイル画像データが含まれている場合に、液晶表示器１０４に４つのサムネイル画像を表示し、表示中のサムネイル画像のうち、カーソル表示されているサムネイル画像に対応する本画像データによる再生画像をプロジェクタ部１２０から投影させる（ステップＳ６、Ｓ７、Ｓ９、Ｓ１３）。これにより、使用者は、複数のサムネイル画像を見ながら投影する画像を選ぶことができる、
【００６７】
（８）プロジェクタ付き電子カメラ１０は、投影モードにおいてソース切替え指示されるごとに、上記ソース１．〜ソース４．に対応する投影像をサイクリックに切替えるようにした（ステップＳ１０）。これにより、プロジェクタ付き電子カメラ１０へ入力される画像のデータ形式、信号形式にかかわらず、再生画像をプロジェクタ部１２０に投影させることができる上に、投影コンテンツの選択を簡単な操作で行うことができる。
【００６８】
（９）プロジェクタ付き電子カメラ１０は、プロジェクタ部１２０によって投影される静止画像が他の画像に切替わる際に、投影輝度（ＬＥＤ光源１２３による点灯輝度）を一時低下させてエフェクトを入れるようにしたので、観察者の視覚に与える刺激を低減することができる。
【００６９】
（変形例１）
上記の説明では、液晶表示器１０４（液晶モニタ）に表示するサムネイル画像を１画面に４つとしたが、４つに限らず２つでも９つでもよい。
【００７０】
（変形例２）
上述したステップＳ１では、投影モードに切替えられたことに応じて液晶表示器１０４のバックライト（不図示）の点灯輝度を下げることによって表示輝度を低下させたが、この代わりに、液晶表示器１０４による表示はそのままに上記バックライトのみを消灯させることによって表示輝度を低下させてもよい。
【００７１】
（変形例３）
以上の説明では、液晶表示器１０４（液晶モニタ）に複数のサムネイル画像を表示し、これら複数のサムネイル画像の中でカーソル表示されているサムネイル画像に対応する再生画像をプロジェクタ部１２０から投射した。この代わりに、液晶表示器１０４（液晶モニタ）に１つのサムネイル画像を表示し、このサムネイル画像を拡大（もしくは縮小）した再生画像をプロジェクタ部１２０から投射してもよい。これにより、液晶表示器１０４（液晶モニタ）とプロジェクタ部１２０とで異なる範囲の画像を表示（投影）させることができる。
【００７２】
（変形例４）
ズームスイッチ１６は、上述した回転操作型スイッチの代わりに、異なる２つの操作信号を択一的に出力するシーソー型スイッチで構成してもよい。また、「ズームアップ」スイッチと「ズームダウン」スイッチとを独立させた２つのスイッチで構成してもよい。
【００７３】
（変形例５）
プロジェクタと電子カメラとがあらかじめ一体化されたプロジェクタ付き電子カメラ１０を例に説明したが、電子カメラに対して着脱自在に構成したプロジェクタと電子カメラとで電子カメラシステムを構成してもよい。この場合の電子カメラシステムは、電子カメラのアクセサリーシュー（不図示）にプロジェクタが装着されると投影モードに切替わり、図４と同様のプログラムを起動させる。なお、電子カメラ側のＣＰＵ１０１と、プロジェクタ側の投射制御回路とは、アクセサリーシューに併設される信号用端子（不図示）を介してデータを送受する。電子カメラの操作部材からの操作信号は、上記信号用端子を介してプロジェクタ側へ送信される。
【００７４】
（変形例６）
プロジェクタ付き電子カメラ１０を例に説明したが、プロジェクタ１２０と液晶表示器１０４を備える電子機器であれば、たとえば、プロジェクタ付き携帯電話機、投影装置などの電子機器にも本発明を適用できる。
【００７５】
（第二の実施形態）
液晶表示器（液晶モニタ）が表示する内容と、プロジェクタ部１２０が投影する内容とが異なる例についてさらに詳細に説明する。図５は、プロジェクタ付き電子カメラ１０の液晶表示器１７（図３における符号１０４）が１つのサムネイル画像を表示し、このサムネイル画像に対応するオリジナル画像をプロジェクタ部１２０が投影する場合を例示する図である。
【００７６】
図５において、液晶表示器１７には、画像ファイル内のデータのうちサムネイル表示用データによるサムネイル画像が表示される。液晶表示器１７にはさらに、コマ番号を含む当該画像ファイルの名称５２がサムネイル画像に重ねてオーバーレイ表示されるとともに、不図示の電源回路で検出された電池残量を示す電池マーク５１がサムネイル画像に重ねてオーバーレイ表示される。液晶表示器１７の表示制御は、プロジェクタ付き電子カメラ１０のＣＰＵ１０１によって行われる。
【００７７】
一方、プロジェクタ部１２０は、画像ファイル内のデータのうち本画像（オリジナル画像）用データによる画像を投影するとともに、投影範囲を示す枠６０をオリジナル画像の周りに投影する。プロジェクタ部１２０は、画像ファイルの名称を投影せず、電池マークも通常は投影しない。プロジェクタ部１２０の投影制御は、ＣＰＵ１０１および投射制御回路１２４によって行われる。
【００７８】
図６は、電池残量が所定量以下になったことが不図示の電源回路で検出された場合に液晶表示器１７（液晶モニタ）に表示される内容と、プロジェクタ部１２０から投影される内容とを例示する図である。電池残量が所定量以下になった場合には、液晶表示器１７（液晶モニタ）に表示される電池マーク５１と同様に、プロジェクタ部１２０がオリジナル画像に重ねて電池マーク６１を投影する。
【００７９】
以上説明した第二の実施形態によれば、次の作用効果が得られる。
（１）プロジェクタ部１２０は、画像ファイル内のデータのうち本画像（オリジナル画像）用データによる画像を投影するので、画素数がサムネイル画像データを構成する画素数より多い液晶パネル１２２を用いれば、液晶表示器１７（液晶モニタ）に表示されるサムネイル画像より高精細の投影画像が得られる。
【００８０】
（２）液晶表示器１７（液晶モニタ）にはサムネイル画像に加えて画像ファイルの名称５２や電池マーク５１などの付加情報を表示する一方で、プロジェクタ部１２０による投影内容にはオリジナル画像以外の付加情報を含めない構成にしたので、投影画像を観察する観察者にとって画像ファイルの名称や電池マークなどが邪魔にならない。
【００８１】
（３）電池残量が所定量以下になったことが検出された場合には、電池マーク６１をプロジェクタ部１２０による投影内容に含めるようにしたので、使用者が液晶表示器１７（液晶モニタ）の表示内容でなくプロジェクタ部１２０による投影画像のみを観察している場合でも、使用者に電池残量低下を知らせることができる。
【００８２】
（４）プロジェクタ部１２０による投影範囲を示す枠６０を投影するようにしたので、投影画像を観察する観察者にとって投影範囲がわかりやすくなる上に、キーストン補正の際にも有効である。
【００８３】
（変形例７）
液晶表示器１７（液晶モニタ）の表示オフが指示されている場合には、プロジェクタ部１２０は、オリジナル画像の投影に加えて画像ファイルの名称や電池マークなどの付加情報を投影する構成としてもよい。
【００８４】
（第三の実施形態）
プロジェクタ部１２０が投影する内容に投影調節用のキャリブレーションパターンを含めてもよい。投射像のフォーカス調節を行う場合、投影内容に含まれるエッジのボケをなくし、投射像のコントラストを最大にするようにフォーカスレンズ（投影レンズ１２１）の位置が調節される。この場合、投射像にコントラスト情報が含まれていなかったり、投射像が動画像であってコントラスト情報が変動する場合にはフォーカス調整が困難である。第三の実施形態では、投影するオリジナル画像にかかわらずフォーカス調節が行えるように、プロジェクタ部１２０がオリジナル画像の一部にコントラスト算出用パターン６２を含めて投影を行う。
【００８５】
図７は、第三の実施形態において液晶表示器１７（液晶モニタ）に表示される内容と、プロジェクタ部１２０から投影される内容とを例示する図である。プロジェクタ部１２０は、オリジナル画像の一部をコントラスト算出用パターン６２と置換して投影する。このようにすると、オリジナル画像が中間階調成分で構成されていてコントラスト情報を含まない場合や、オリジナル画像が変化する場合であっても、投射像のフォーカス状態を調節しやすくなる。
【００８６】
コントラスト算出用パターン６２は、たとえば、コントラスト量が算出しやすいように縦ラインを複数連ねた所定形状パターンを有する。コントラスト算出用パターン６２は、投影内容に常時含めるようにしてもよいし、投射像のフォーカス調節時にのみ一時的に含めてもよい。
【００８７】
図７において、プロジェクタ部１２０は、コントラスト算出用パターン６２の下部に明るさ検出用パターン６３も含める。プロジェクタ部１２０が適切な明るさで投射しないと、投影像が暗すぎたり明るすぎたりして観察者にとって見づらくなる。投射像の明るさ調整を行う場合、投影内容に含まれる高輝度部分を適切な明るさにするように、ＬＥＤ光源１２３の点灯輝度を変えて投射像の明るさが調節される。この場合、投射像に高輝度部分が含まれていなかったり、投射像が動画像であって高輝度部分の位置や輝度が変動する場合には明るさ調節が困難である。そこで、投影するオリジナル画像にかかわらず明るさ調節が行えるように、プロジェクタ部１２０がオリジナル画像の一部に明るさ検出用パターン６３を含めて投影を行う。
【００８８】
明るさ検出用パターン６３は、たとえば、投射像の明るさを検出しやすいように白色の所定形状パターンを有する。明るさ検出用パターン６３は、投影内容に常時含めるようにしてもよいし、投射像の明るさ調節時にのみ一時的に含めてもよい。
【００８９】
以上説明した第三の実施形態によれば、次の作用効果が得られる。
（１）プロジェクタ部１２０による投影内容に投影調節に用いるコントラスト算出用パターン６２および明るさ検出用パターン６３を含め、液晶表示器１７（液晶モニタ）による表示内容にはコントラスト算出用パターンおよび明るさ検出用パターンを含めなかったので、液晶表示器１７（液晶モニタ）を観察する使用者にとって各パターンが邪魔にならない。
【００９０】
（２）縦ラインを複数連ねた所定形状パターンによってコントラスト算出用パターン６２を構成したので、投影像の傾きの有無をチェックする場合にも有効である。
【００９１】
（変形例８）
図７においては、キャリブレーションパターン６２、６３をそれぞれ枠６０の内側に含めるようにしたが、図８に示すように、キャリブレーションパターン６２、６３をそれぞれ枠６０の外側に投影する構成としてもよい。キャリブレーションパターン６２、６３をそれぞれ枠６０の外側に投影することで、キャリブレーションパターン６２、６３を投影内容に常時含める場合にも、投影画像を観察する観察者にとってキャリブレーションパターン６２、６３が邪魔にならない。
【００９２】
（変形例９）
投影調節用画像として例示したコントラスト算出用パターン６２および明るさ検出用パターン６３は、それぞれコントラスト算出や明るさ検出ができるものであれば、どのような形状のパターンにしても構わない。
【００９３】
（第四の実施形態）
図９は、プロジェクタ付き電子カメラ１０の液晶表示器１７（図３における符号１０４）が１つのサムネイル画像を表示し、このサムネイル画像に対応するオリジナル画像の中から抽出した被写体の顔領域を含む画像を、プロジェクタ部１２０からクローズアップ投影する場合を例示する図である。
【００９４】
この場合のＣＰＵ１０１は、画像ファイル内のデータのうち本画像（オリジナル画像）用データによる画像について顔抽出を行う。顔抽出は、たとえば、特開平９−２５１５３４号公報に開示されている技術を用いる。プロジェクタ部１２０は、ＣＰＵ１０１によって抽出された顔領域のデータを通常投影時の投影サイズに比べて大きく引き延ばして拡大投射させる。図９によれば、液晶表示器１７（液晶モニタ）に表示中の人物を含む画像のうち、当該人物の顔に対応する顔画像６４がプロジェクタ部１２０によって投影されるとともに、投影範囲を示す枠６０が顔画像６４の周りに投影される。画像ファイルの名称を投影せず、電池マークも通常投影しない点は、第二の実施形態と同様である。
【００９５】
以上説明した第四の実施形態によれば、プロジェクタ付き電子カメラ１０は、画像ファイル内のデータのうち本画像（オリジナル画像）について顔抽出を行い、抽出した顔を含む顔画像６４をプロジェクタ部１２０からクローズアップ投影させるようにした。これにより、投影像の観察者は、人物の顔を高精細で大きく投影した投影像を観察できる。一方、液晶表示器１７（液晶モニタ）の表示内容を観察する使用者は、サムネイル画像によって画像全体の確認もできる。なお、顔抽出は人物の顔の他、動物の顔について抽出してもよい。
【００９６】
（第五の実施形態）
図１０は、プロジェクタ付き電子カメラ１０の液晶表示器１７（図３における符号１０４）がキーメニューを表示し、プロジェクタ部１２０がキャリブレーションパターン６２、６３を投影する場合を例示する図である。
【００９７】
図１０によれば、液晶表示器１７（液晶モニタ）に投影モード時のキーメニューが表示されている。ズームスイッチ１６を表す図形と「投影レンズのズーム調節」というテキストとを関連づけて表示し、レリーズボタン１４を表す図形と「投影ソース切替え」というテキストとを関連づけて表示する点は、上述したステップＳ５およびステップＳ１２において説明した内容に対応する。
【００９８】
一方、プロジェクタ部１２０は、キャリブレーションパターンとしてコントラスト算出用パターン６２および明るさ検出用パターン６３を投影範囲の略中央に投影し、投影範囲を示す枠６０をキャリブレーションパターンの周りに投影する。
【００９９】
以上説明した第五の実施形態によれば、プロジェクタ部１２０は、投影調節用のキャリブレーションパターンを略中央に投影するので、投影範囲の端部に投影する場合に比べて投射像のフォーカス調節や投射像の明るさ調節を行いやすい。一方、液晶表示器１７（液晶モニタ）に表示するキーニューによって、液晶表示器１７（液晶モニタ）の表示内容を観察する使用者へ機能変更した操作部材の説明をすることができる。
【０１００】
（変形例１０）
液晶表示器１７（液晶モニタ）に表示する画像の色調整係数と、プロジェクタ部１２０から投影する画像の色調整係数とを異ならせてもよい。プロジェクタ部１２０が投影するスクリーンや壁が白色でない場合、投影される画像の色合いが使用者が望む色合いと異なることがある。この場合のプロジェクタ部１２０は、色合い調節指示に応じてプロジェクタ部１２０による投影画像の色調整係数を変化させる。
【０１０１】
以上の説明はあくまで一例であり、上記の実施形態の構成に何ら限定されるものではない。第一の実施形態〜第五の実施形態および変形例１〜変形例１０は、それぞれを適宜組合わせて構成しても構わない。
【図面の簡単な説明】
【０１０２】
【図１】本発明の第一実施形態によるプロジェクタ付き電子カメラを前方から見た斜視図である。
【図２】図１のプロジェクタ付き電子カメラを後方から見た斜視図である。
【図３】プロジェクタ付き電子カメラの構成を説明するブロック図である。
【図４】ＣＰＵが投影モード時に実行するプログラムによる処理の流れを説明するフローチャートである。
【図５】第三の実施形態において液晶表示器に表示される内容と、プロジェクタ部から投影される内容とを例示する図である。
【図６】電池残量が所定量以下になった場合に液晶表示器に表示される内容を例示する図である。
【図７】第三の実施形態において液晶表示器に表示される内容と、プロジェクタ部から投影される内容とを例示する図である。
【図８】変形例において液晶表示器に表示される内容と、プロジェクタ部から投影される内容とを例示する図である。
【図９】第四の実施形態において液晶表示器に表示される内容と、プロジェクタ部から投影される内容とを例示する図である。
【図１０】第五の実施形態において液晶表示器に表示される内容と、プロジェクタ部から投影される内容とを例示する図である。
【符号の説明】
【０１０３】
１０…プロジェクタ付き電子カメラ
１１（２２１）…撮影レンズ
１３…プロジェクタ投射窓
１４…レリーズボタン
１５…モード切替ダイヤル
１６…ズームスイッチ
１７（１０４）…液晶表示器
１９（１０３）…操作部材
５１、６１…電池マーク
５２…画像ファイルの名称
６０…枠
６２、６３…キャリブレーションパターン
６４…顔画像
１０１…ＣＰＵ
１２０…プロジェクタ部
２００…メモリカード
２１０…無線通信ユニット
２２０…撮像部
【図１】
0005157092.tif 000002
【図２】
0005157092.tif 000003
【図３】
0005157092.tif 000004
【図４】
0005157092.tif 000005
【図５】
0005157092.tif 000006
【図６】
0005157092.tif 000007
【図７】
0005157092.tif 000008
【図８】
0005157092.tif 000009
【図９】
0005157092.tif 000010
【図１０】
0005157092.tif 000011